(57)【要約】    【課題】玄関子機の静粛性を高め当該子機の設計を容易とするとともに、居室親機の小型化および薄型化を可能にする。    【解決手段】より広角なレンズ１０２ａの使用により玄関子機１のカメラ１０２にて撮像された広範囲の映像を、居室親機２のモニタ２０１の画面上に表示するにあたり、ズームアップで表示したい所定箇所に対応する場所情報を、居室親機の制御部２０５からのズーム信号により玄関子機の記憶部１０３に記憶させることができる。この場所情報は、玄関子機から居室親機への呼出操作時において、記憶部にプリセットされる。また、玄関子機の映像処理部１０４は、呼出操作時において映像の画像処理を行い居室親機に伝送するとともに、ズームアップ時には記憶部に記憶された場所情報をもとに映像の所定箇所をズーム処理して居室親機に伝送することができる。  【選択図】図１
2007150452.tif 000002
【特許請求の範囲】
【請求項１】
カメラ（１０２）を有する玄関子機（１）と、前記玄関子機のカメラにて撮像された映像を表示するモニタ（２０１）を有し、前記玄関子機からの呼び出しに応答して通話を成立させるための居室親機（２）とで構成され、
前記玄関子機は、前記カメラにて撮像された映像のうち、前記モニタの画面上でズームアップで表示したい所定箇所に対応する場所情報を前記居室親機からのズーム信号により記憶するための記憶部（１０３）と、呼出操作時には前記映像の画像処理を行い前記居室親機に伝送するとともに、前記ズームアップ時には前記記憶部に記憶された前記場所情報をもとに前記映像の所定箇所をズーム処理して前記居室親機に伝送する映像処理部（１０４）とを備え、
前記居室親機は、前記玄関子機から伝送された映像のうち、前記モニタの画面上にズームアップで表示したい前記所定箇所を特定するための前記ズーム信号を生成する制御部（２０５）を備えることを特徴とするテレビドアホン装置。
【請求項２】
前記呼出操作時に前記ズームアップで表示したい前記映像の所定箇所に対応する場所情報を前記記憶部にプリセットすることを特徴とする請求項１記載のテレビドアホン装置。
【請求項３】
前記所定箇所は、前記モニタの表示画面を縦、横それぞれ所定数に分割して複数の小画面にし、前記映像の映像部分が表示されている小画面を指定することにより選定され、前記場所情報は指定された小画面を表すズーム信号とされることを特徴とする請求項１記載のテレビドアホン装置。
【発明の詳細な説明】
【技術分野】
【０００１】
本発明は、映像の撮像／表示機能を有するテレビドアホン装置に係り、特に、広角で撮像された映像のズーム機能が備えられたテレビドアホン装置に関する。
【背景技術】
【０００２】
従来から、この種のテレビドアホン装置として、テレビインターホン親機のテレビモニタの画枠を上下左右にスクロールするスクロール釦を設けたテレビインターホン装置が開示されている（例えば、特許文献１を参照。）。
【０００３】
このテレビインターホン装置によれば、テレビインターホン子機に広角レンズが設けられており、テレビインターホン親機に設けられたスクロール手段に接続されたスクロール釦を操作すると、ズーム手段が映像信号の画枠をズームすることができる。このズームされた画枠は、スクロール手段でスクロールしながらテレビモニタでモニタできる。
【０００４】
【特許文献１】特開平７−４６５８３号公報（段落番号「００１１」乃至「００２１」、第１図乃至第６図）
【発明の開示】
【発明が解決しようとする課題】
【０００５】
背景技術に記載した特許文献１のテレビインターホン装置によれば、その効果として、部品点数が削減され、スクロール釦等の操作性を高めることができる。しかしながら、テレビインターホン子機のテレビカメラをパンチルト動作や光学ズームさせるためには、モータによる駆動制御や機構制御が必要であり、その設計には多大な時間が費やされるばかりでなく、モータの駆動による騒音および／またはノイズの発生や当該モータの故障による動作異常の発生の虞があった。また、ズーム手段やスクロール手段を具現するための構成各部／回路がテレビインターホン親機に設けられているため、当該親機の小型化および薄型化が困難であった。
【０００６】
本発明は、この難点を解消するためになされたもので、玄関子機のカメラにて映像を撮像するにあたり、より広角なレンズを使用して広範囲の映像を居室親機のモニタの画面上に表示し、この表示範囲をパンチルト操作により容易に可変させることができ、カメラにて撮像された映像のズーム処理等の画像処理機能を当該子機に設けることにより、玄関子機の設計が容易となり静粛性が高められるとともに、居室親機の小型化および薄型化が可能なテレビドアホン装置を提供することを目的としている。
【課題を解決するための手段】
【０００７】
前述の目的を達成するため、本発明の第１の態様であるテレビドアホン装置は、カメラを有する玄関子機と、玄関子機のカメラにて撮像された映像を表示するためのモニタを有し、玄関子機からの呼び出しに応答して通話を成立させるための居室親機とで構成されている。玄関子機は、カメラにて撮像された映像のうち、モニタの画面上にズームアップで表示したい所定箇所に対応する場所情報を居室親機からのズーム信号により記憶するための記憶部と、呼出操作時には映像の画像処理を行い居室親機に伝送するとともに、ズームアップ時には記憶部に記憶された場所情報をもとに、映像の所定箇所をズーム処理して居室親機に伝送するための映像処理部とを備えている。居室親機は、玄関子機から伝送された映像のうち、モニタの画面上にズームアップで表示したい所定箇所を特定するためのズーム信号を生成する制御部を備えている。
【０００８】
また、本発明の第２の態様であるテレビドアホン装置は、本発明の第１の態様において、呼出操作時にズームアップで表示したい映像の所定箇所に対応する場所情報を記憶部にプリセットするものである。
【０００９】
また、本発明の第３の態様であるテレビドアホン装置は、本発明の第１の態様において、所定箇所は、モニタの表示画面を縦、横それぞれ所定数に分割して複数の小画面にし、映像の映像部分が表示されている小画面を指定することにより選定され、場所情報は指定された小画面を表すズーム信号とされるものである。
【発明の効果】
【００１０】
本発明のテレビドアホン装置によれば、玄関子機のカメラにて映像を撮像するにあたり、より広角なレンズを使用して広範囲の映像を居室親機のモニタの画面上に表示することができるばかりでなく、カメラにて撮像された映像の一部をモニタの画面上に表示することができる。また、モニタの画面上に表示される映像は、パンチルト操作によりその表示範囲を容易に可変させることができる。
【００１１】
これにより、パンチルト動作させるためのモータや当該モータの駆動制御および機構制御が玄関子機に不要となり、騒音および／またはノイズの発生や動作異常の発生が抑えられて静粛性が高められるとともに、当該子機の設計が容易となる。また、玄関子機のカメラにて撮像された映像のズーム処理等の画像処理機能は当該子機に備えられることから、居室親機の小型化および薄型化が可能となる。
【発明を実施するための最良の形態】
【００１２】
以下、本発明のテレビドアホン装置を適用した最良の実施の形態例について、図面を参照して説明する。
【００１３】
図１は、本発明の実施例によるテレビドアホン装置の具体的な構成を示すブロック図である。
【００１４】
図１に示すテレビドアホン装置は、住戸玄関に設置される玄関子機１と、住戸内に設置される居室親機２とで構成され、この玄関子機１および居室親機２の間は、伝送路Ｌを経由して接続されている。
【００１５】
玄関子機１には、呼出部１００、呼出検出部１０１、カメラ１０２、記憶部１０３、映像処理部（以下、子機映像処理部という。）１０４、通話部（以下、子機通話部という。）１０５、音声処理部（以下、子機音声処理部という。）１０６、電源部（以下、子機電源部という。）１０７、伝送インターフェース（以下、子機Ｉ／Ｆという。）１０８が備えられている。
【００１６】
この玄関子機１において、呼出部１００は、住戸玄関に居る人物、例えば、来訪者が住戸内に在室中の居住者を呼び出すために操作（以下、呼出操作という。）を行うものである。また、呼出部１００としては、例えば、呼出ボタンが好適とされる。
【００１７】
呼出検出部１０１は、呼出部１００にて行われる呼出操作の有無を監視／検出し、この呼出操作が検出されたときに呼出信号を生成するためのものである。
【００１８】
カメラ１０２は、当該子機に固定されており、被写体として、例えば、呼出部１００にて呼出操作を行った来訪者の映像や住戸玄関の周囲近傍の映像（監視映像を含む。）を撮像するためのものである。このカメラ１０２には、レンズ部１０２ａおよび受光部１０２ｂが備えられている。
【００１９】
カメラ１０２のレンズ部１０２ａは、被写体の全景として、より広角の全景を得るにあたり、例えば、超広角レンズや魚眼レンズが好適とされる。なお、超広角レンズとは、一般的に対角画角が約１５０度以上の広角レンズと定義される。一方、魚眼レンズとは、一般的に対角画角が約１８０度以上の広角レンズと定義される。
【００２０】
カメラ１０２の受光部１０２ｂは、レンズ部１０２ａを透過した被写体からの光を受光し、受光された光の像について光電変換を行い、電気信号の映像信号を生成するためのものである。この受光部１０２ｂとしては、受光した光の強度に対応した電気信号に変換する複数の受光素子をマトリックス状に配置した光電変換素子であり、例えば、ＣＣＤ（Charge Coupled Devices）、ＣＭＯＳ（Complementary Metal Oxide Semiconductor）等の各種の固体撮像素子が好適とされる。
【００２１】
記憶部１０３は、カメラ１０２にて撮像された映像のうち、居室親機２の後述するモニタ２０１の画面上にズームアップで表示したい所定箇所に対応する場所情報を当該親機の後述する制御部２０５から伝送されてくるズーム信号により記憶するためのものである。この記憶部１０３としては、例えば、ＲＡＭ（Random Access Memory）、ＥＥＰＲＯＭ（Electrically Erasable Programmable Read Only Memory）等の各種のメモリが好適とされる。
【００２２】
子機映像処理部１０４は、カメラ１０２の受光部１０２ｂから伝送されてくる映像信号を信号処理するにあたり、呼出操作時には映像の画像処理、例えば、ＦＭ変調を行い居室親機２に伝送するとともに、ズームアップ時には記憶部１０３に記憶された場所情報をもとに、映像の所定箇所をズーム処理して居室親機２に伝送するためのものである。この子機映像処理部１０４としては、前述の画像処理およびズーム処理のみならず、切り出し処理、ひずみ補正等を行う機能を有している。
【００２３】
子機通話部１０５は、来訪者が居住者との間で通話を成立させるにあたり、音声（送話音声、受話音声）を入出力するためのものである。この子機通話部１０５としては、例えば、マイクおよびスピーカが好適とされる。なお、スピーカを適用するにあたり、当該スピーカは、前述の受話機能のみならず、呼出部１００にて行われた呼出操作が居室親機２にて正常に呼出報知された旨の確認音や音声メッセージ等を放音することもできる。
【００２４】
子機音声処理部１０６は、子機通話部１０５を使用して入出力される音声（送話音声、受話音声）である電気信号の音声信号について、４線／２線変換、２線／４線変換や増幅等を行うためのものである。
【００２５】
子機電源部１０７は、居室親機２の後述する電源部２０６から供給されてくる直流電源を受電し、所定の電圧レベルの動作電源として当該子機の構成各部／回路にそれぞれ供給するためのものである。
【００２６】
子機Ｉ／Ｆ１０８は、呼出検出部１０１から伝送路Ｌへの信号／データ伝送ライン、伝送路Ｌから記憶部１０３への信号／データ伝送ライン、伝送路Ｌから子機映像処理部１０４への信号／データ伝送ライン、子機映像処理部１０４から伝送路Ｌへの信号／データ伝送ライン、子機音声処理部１０６および伝送路Ｌの間の信号／データ伝送ライン（通話ライン）、伝送路Ｌから子機電源部１０７への電源供給ラインを、それぞれ形成するためのものである。
【００２７】
また、居室親機２には、映像処理部（以下、親機映像処理部という。）２００、モニタ２０１、通話部（以下、親機通話部という。）２０２、音声処理部（以下、親機音声処理部という。）２０３、操作部２０４、制御部２０５、電源部（以下、親機電源部という。）２０６、伝送インターフェース（以下、親機Ｉ／Ｆという。）２０７が備えられている。
【００２８】
この居室親機２において、親機映像処理部２００は、玄関子機１から伝送されてくる例えば、ＦＭ変調された映像信号を復調するためのものである。
【００２９】
モニタ２０１は、親機映像処理部２００から伝送されてくる映像信号について信号処理を行い、玄関子機１のカメラ１０２にて撮像された映像を画面上に表示するにあたり、特に、ズームアップ時には映像の所定箇所をズームアップで表示するためのものである。このモニタ２０１としては、例えば、ＬＣＤ（Liquid Crystal Display）、有機ＥＬ（Electro Luminescence）ディスプレイ等の各種のディスプレイが好適とされる。なお、モニタ２０１の画面上には、前述の映像表示機能のみならず、来訪者からの呼び出しがある旨の文字メッセージや絵データ等を表示することもできる。
【００３０】
また、モニタ２０１は、図２の説明図に示すように、その画面構成の一態様として、表示画面の全体が「０」として領域指定されており、当該表示画面を縦、横それぞれ所定数に分割して複数の小画面、ここでは、縦３つ、横３つの計９つに分割された小画面を指定するための「１」乃至「９」の場所情報が割り当てられている。この場所情報は、制御部２０５に記憶させることができる。なお、図２は、居室親機２のモニタ２０１の画面構成／表示例を示す説明図である。
【００３１】
親機通話部２０２は、居住者が来訪者との間で通話を成立させるにあたり、音声（送話音声、受話音声）を入出力するためのものである。この親機通話部２０２としては、例えば、マイクおよびスピーカが好適とされる。なお、スピーカを適用するにあたり、当該スピーカは、前述の受話機能のみならず、来訪者からの呼び出しがある旨の呼出音や音声メッセージ等を放音することもできる。
【００３２】
親機音声処理部２０３は、親機通話部２０２を使用して入出力される音声（送話音声、受話音声）である電気信号の音声信号について、４線／２線変換、２線／４線変換や増幅等を行うためのものである。
【００３３】
操作部２０４には、その構成として、モニタボタン２０４ａ、通話ボタン２０４ｂ、パンチルトボタン２０４ｃ、タッチパネル２０４ｄが含まれている。
【００３４】
操作部２０４のモニタボタン２０４ａは、玄関子機１が設置された周囲環境の監視映像をカメラ１０２にて撮像させ、モニタ２０１の画面上に表示するために居住者が操作するものである。
【００３５】
操作部２０４の通話ボタン２０４ｂは、来訪者からの呼び出しを確認した居住者が当該来訪者との間で通話を成立させるために応答操作を行うものである。
【００３６】
操作部２０４のパンチルトボタン２０４ｃは、モニタ２０１の画面上に表示されている映像の表示範囲をパンチルトで可変させるために居住者が操作するものである。このパンチルトボタン２０４ｃとしては、例えば、十字キーが好適とされる。
【００３７】
操作部２０４のタッチパネル２０４ｄは、モニタ２０１の前面（表示画面）側に設けられており、玄関子機１のカメラ１０２にて撮像された映像のうち、画面上にズームアップで表示したい所定箇所を居住者がタッチ操作で選定するためものである。このタッチパネル２０４ｄとしては、例えば、抵抗膜方式、超音波方式、静電容量方式等の各種のセンサ方式が好適とされる。
【００３８】
なお、前述のモニタボタン２０４ａ、通話ボタン２０４ｂおよびパンチルトボタン２０４ｃの各操作は、当該操作の内容をモニタ２０１の画面上にそれぞれ表示させ、居住者によるタッチパネル２０４ｄを使用したタッチ操作で行うこともできる。
【００３９】
制御部２０５は、当該親機の構成各部／回路をそれぞれ制御するためのものであり、特に、玄関子機１のカメラ１０２にて撮像された映像のうち、モニタ２０１の画面上にズームアップで表示したい所定箇所を特定するためのズーム信号を生成する機能を備えている。
【００４０】
親機電源部２０６は、商用電源（ＡＣ１００Ｖ）について整流／平滑させた直流電源を、所定の電圧レベルの動作電源として当該親機の構成各部／回路にそれぞれ供給するとともに、この直流電源を玄関子機１の子機電源部１０７に供給するためのものである。
【００４１】
親機Ｉ／Ｆ２０７は、伝送路Ｌから親機映像処理部２００への信号／データ伝送ライン、親機音声処理部２０３および伝送路Ｌの間の信号／データ伝送ライン（通話ライン）、制御部２０５および伝送路Ｌの間の信号／データ伝送ライン、親機電源部２０６から伝送路Ｌへの電源供給ラインを、それぞれ形成するためのものである。
【００４２】
このように構成された本発明の実施例によるテレビドアホン装置において、以下、具体的な動作について説明する。
【００４３】
図１に示すテレビドアホン装置が待受状態である場合において、居室親機２の親機電源部２０６は、商用電源（ＡＣ１００Ｖ）について整流／平滑させた直流電源を、待受用の所定の電圧レベルの動作電源として当該親機の構成各部／回路にそれぞれ供給することができる。また、親機電源部２０６にて整流／平滑された直流電源は、親機Ｉ／Ｆ２０７、伝送路Ｌ、玄関子機１の子機Ｉ／Ｆ１０８を経由して子機電源部１０７に供給される。
【００４４】
玄関子機１の子機電源部１０７は、居室親機２から受電した直流電源を、待受用の所定の電圧レベルの動作電源として当該子機の構成各部／回路にそれぞれ供給することができる。
【００４５】
次に、前述のような待受状態において、住戸玄関に居る来訪者が住戸内に在室中の居住者を呼び出すにあたり、玄関子機１の呼出部１００にて呼出操作を行うと、この呼出操作を検出した呼出検出部１０１は呼出信号を生成する。また、呼出検出部１０１にて生成された呼出信号は、子機Ｉ／Ｆ１０８、伝送路Ｌ、居室親機２の親機Ｉ／Ｆ２０７を経由して制御部２０５に伝送される。
【００４６】
居室親機２の制御部２０５は、玄関子機１から伝送されてきた呼出信号をもとに、来訪者による呼び出しがあることを検出する。この制御部２０５は、親機映像処理部２００およびモニタ２０１をそれぞれ制御して当該モニタを表示可能とし、さらには、親機通話部２０２（のスピーカ）から呼出音や音声メッセージ等を放音させることができる。また、制御部２０５は、親機電源部２０６を制御して、前述の待受用よりも高い電圧レベルである呼出時用の直流電源を、当該親機の構成各部／回路にそれぞれ動作電源として供給させるとともに、同様な直流電源を、玄関子機１の子機電源部１０７から当該子機の構成各部／回路にそれぞれ動作電源として供給させることができる。なお、制御部２０５は、来訪者からの呼び出しがある旨の文字メッセージや絵データ等をモニタ２０１の画面上に表示させることができるばかりでなく、来訪者による呼出操作が正常な操作であり居室親機２にて呼出報知が行われた旨の確認音や音声メッセージ等を生成して、玄関子機１の子機通話部１０５（のスピーカ）から放音させることもできる。
【００４７】
次に、玄関子機１の子機電源部１０７からの直流電源の供給により能動とされたカメラ１０２は、呼出部１００にて呼出操作を行った来訪者の映像や住戸玄関の周囲近傍の映像の撮像を開始する。このカメラ１０２のレンズ部１０２ａは、その構成として、例えば、超広角レンズや魚眼レンズが使用されるため、対角画角が約１５０度以上や約１８０度以上のような広角で被写体からの光を透過させることができ、透過された光は受光部１０２ｂにて受光される。
【００４８】
玄関子機１において、カメラ１０２の受光部１０２ｂは、受光した光を、その光の強度に対応した電圧レベルである電気信号の映像信号に変換する。この映像信号は、子機映像処理部１０４を経由して信号処理、例えば、ＦＭ変調された後、子機Ｉ／Ｆ１０８、伝送路Ｌ、居室親機２の親機Ｉ／Ｆ２０７を経由して親機映像処理部２００に伝送される。
【００４９】
居室親機２の親機映像処理部２００は、玄関子機１から伝送されてきた映像信号を復調してモニタ２０１に出力することにより、玄関子機１のカメラ１０２にて撮像された映像、すなわち、呼出部１００にて呼出操作を行った来訪者の映像や住戸玄関の周囲近傍の映像をモニタ２０１に画面上に表示させることができる。
【００５０】
次に、居室親機２の親機通話部２０２（のスピーカ）から放音された呼出音や音声メッセージ等、モニタ２０１の画面上に表示された映像をもとに、来訪者からの呼び出しがあることを当該来訪者の識別と併せて確認した居住者が操作部２０４の通話ボタン２０４ｂを操作すると、この応答操作を検出した制御部２０５は、親機音声処理部２０３（および子機音声処理部１０６）を制御して、居住者が使用する親機通話部２０２（のマイクおよびスピーカ）と、親機音声処理部２０３、親機Ｉ／Ｆ２０７、伝送路Ｌ、玄関子機１の子機Ｉ／Ｆ１０８、子機音声処理部１０６を経由して来訪者が使用する子機通話部１０５（のマイクおよびスピーカ）との間の信号／データ伝送ライン、すなわち、通話ラインを形成する。この通話ラインを経由して音声信号を送受信させることにより、居住者および来訪者は通話を成立させることができ、特に、居住者においては、来訪者の映像を確認しながらの通話が可能となる。
【００５１】
次に、居室親機２の親機通話部２０２（のスピーカ）から放音された呼出音や音声メッセージ等をもとに、来訪者からの呼び出しがあることは確認できたものの、来訪者の立ち位置が不適切である等に起因して、モニタ２０１の画面上に表示された映像による来訪者の識別が居住者にとって困難である場合には、その識別を行うにあたり、パンチルト処理による第１の確認手段および／またはズーム処理による第２の確認手段が好適とされる。
【００５２】
先ず、第１の確認手段を行うにあたり、居住者が居室親機２の操作部２０４のパンチルトボタン２０４ｃを操作すると、この操作を検出した制御部２０５は、モニタ２０１の画面上に表示されている映像の表示範囲をパンチルトで可変させるためのパンチルト信号を生成する。このパンチルト信号は、制御部２０５から親機Ｉ／Ｆ２０７、伝送路Ｌ、玄関子機１の子機Ｉ／Ｆ１０８を経由して子機映像処理部１０４に伝送される。
【００５３】
玄関子機１の子機映像処理部１０４は、居室親機２から伝送されてきたパンチルト信号をもとに、カメラ１０２の受光部１０２ｂから伝送されてきた映像信号を当該カメラの撮像範囲内でパンチルト制御することができる。この制御が行われることにより、居室親機２のモニタ２０１の画面上には、居住者による所望の映像、例えば、識別可能な来訪者の映像が含まれている住戸玄関の周囲近傍の映像を表示させることができる。
【００５４】
一方、第２の確認手段を行うにあたり、図２に示す９つに分割された小画面を有する居室親機２のモニタ２０１において、このモニタ２０１に表示されている９つの小画面のうち、識別すべき来訪者の映像が表示されている小画面、例えば、「４」の小画面が指定されるように操作部２０４のタッチパネル２０４ｄを居住者がタッチ操作すると、この操作を検出した制御部２０５は、指定された「４」の小画面の場所情報を付加させたズーム信号を生成する。このズーム信号は、制御部２０５から親機Ｉ／Ｆ２０７、伝送路Ｌ、玄関子機１の子機Ｉ／Ｆ１０８を経由して記憶部１０３に伝送される。
【００５５】
玄関子機１の記憶部１０３は、居室親機２から伝送されてきたズーム信号に付加されている場所情報、すなわち、「４」の小画面の場所情報を記憶するとともに、記憶させた場所情報を子機映像処理部１０４に出力する。
【００５６】
なお、玄関子機１の記憶部１０３は、居室親機２から伝送されてきたズーム信号に付加されている場所情報、すなわち、「４」の小画面の場所情報を、この呼出・通話の動作以降に来訪者が呼出部１００にて呼出操作を行うような呼出操作時においてモニタ２０１にズームアップで表示したい所定箇所に対応する場所情報としてプリセットすることもできる。
【００５７】
玄関子機１の子機映像処理部１０４は、カメラ１０２の受光部１０２ｂから伝送されてきた映像信号を構成する９つの小画面のうち、記憶部１０３から伝送されてきた場所情報に該当する小画面「４」を切り出し、切り出された小画面「４」をズームアップさせた後にＦＭ変調を行った小画面映像信号を生成する。この小画面映像信号は、前述の映像信号と同一の信号／データ伝送ラインを経由して居室親機２の親機映像処理部２００に伝送される。
【００５８】
居室親機２の親機映像処理部２００は、玄関子機１から伝送されてきた小画面映像信号を復調してモニタ２０１に出力することにより、玄関子機１のカメラ１０２にて撮像された映像のうち、図２に示すような小画面「４」をズームアップさせた映像、例えば、居住者によって来訪者の識別が可能な映像をモニタ２０１に画面上に表示させることができる。
【００５９】
また、小画面「４」の映像を居室親機２のモニタ２０１の画面上にズームアップで表示させるにあたり、この映像には、小画面「４」のみならず、小画面「４」に近接する小画面の一部、ここでは、小画面「１」「２」「５」「７」「８」のそれぞれの一部も含まれる。
【００６０】
なお、第２の確認手段を行うにあたっては、そのタイミングとして、玄関子機１に固定されているカメラ１０２の撮像範囲内でパンチルト制御された映像を居室親機２のモニタ２０１の画面上に表示させるような第１の確認手段が行われた後が好適とされ、より来訪者の識別が可能であるズームアップさせた映像を確保することができる。
【００６１】
前述までの説明から明らかなように、本発明の実施例によれば、玄関子機１のカメラ１０２にて映像を撮像するにあたり、より広角なレンズ１０２ａを使用して広範囲の映像を居室親機２のモニタ２０１の画面上に表示することができるばかりでなく、カメラ１０２にて撮像された映像の一部をモニタ２０１の画面上に表示することができる。また、モニタ２０１の画面上に表示される映像は、パンチルト操作によりその表示範囲を容易に可変させることができる。
【００６２】
これにより、パンチルト動作させるためのモータや当該モータの駆動制御および機構制御が玄関子機１に不要となり、騒音および／またはノイズの発生や動作異常の発生が抑えられて静粛性が高められるとともに、当該子機の設計が容易となる。また、玄関子機１のカメラ１０２にて撮像された映像のズーム処理等の画像処理機能は当該子機に備えられることから、居室親機２の小型化および薄型化が可能となる。
【００６３】
なお、本発明の実施例によれば、住戸玄関に設置される玄関子機として、単一台の玄関子機１を適用したが、この台数に限定されるものではない。例えば、住戸玄関に複数台の玄関子機１、１、・・・を設置した場合であっても同様な効果を奏する。
【００６４】
また、本発明の実施例によれば、住戸内に設置される居室親機として、単一台の居室親機２を適用したが、この台数に限定されるものではない。例えば、住戸玄関に複数台の居室親機２、２、・・・を設置し、この複数台の居室親機２、２、・・・を単一台の玄関子機１に接続、或いは複数台の玄関子機１、１、・・・にそれぞれ接続した場合であっても同様な効果を奏する。
【００６５】
また、本発明の実施例によれば、居室親機２の親機通話部２０２（のスピーカ）から放音させる呼出音や音声メッセージ等および玄関子機１の子機通話部（のスピーカ）から放音させる確認音や音声メッセージ等を生成する構成部／回路として、制御部２０５を適用したが、この態様に限定されるものではない。例えば、制御部２０５により制御される音声生成回路を居室親機２に別途設け、この音声生成回路にて前述の呼出音、確認音や音声メッセージ等を生成させることもできる。
【００６６】
さらに、本発明のテレビドアホン装置においては、特定の実施の形態をもって説明してきたが、この形態に限定されるものでなく、本発明の効果を奏する限り、これまで知られた如何なる構成のテレビドアホン装置であっても採用できるということはいうまでもないことである。
【図面の簡単な説明】
【００６７】
【図１】本発明の実施例によるテレビドアホン装置の具体的な構成を示すブロック図。
【図２】本発明の実施例によるテレビドアホン装置において、居室親機のモニタの画面構成／表示例を示す説明図。
【符号の説明】
【００６８】
１……玄関子機
１０２……カメラ
１０３……記憶部
１０４……子機映像処理部（映像処理部）
２……居室親機
２０１……モニタ
２０５……制御部
【図１】
2007150452.tif 000003
【図２】
2007150452.tif 000004